(57)【要約】【課題】  装置の設置効率がよく、防犯性を確保した現金取扱装置を提供する。【解決手段】  投入口２２に投入される紙幣を保管部３に収納する現金取扱装置において、紙幣を投入する現金受付部２１と、現金受付部に投入された紙幣の鑑別の結果、異常と判別された紙幣を返却するリジェクト収納部３１と、鑑別の結果、正常と判別された紙幣を一時保留して蓄積する一時保留部４１と、一時保留部に集積された紙幣を収納する保管部３とを、装置の前面側に配置した。また、保管部３は、上側に設けられた開口部を覆う開閉可能なシャッタ７１を備え、このシャッタを開いて一時保留部４１に集積された現金を保管部３に装填された紙幣カセット６１の中に収納する。【選択図】  図１
2006350415.tif 000002
【特許請求の範囲】
【請求項１】
投入口に投入される現金を保管部に収納する現金取扱装置において、現金を投入する現金受付部と、該現金受付部に投入された現金の鑑別の結果、異常と判別された現金を返却するリジェクト収納部と、鑑別の結果、正常と判別された現金を一時保留して蓄積する一時保留部と、該一時保留部に集積された現金を収納する保管部とを、装置の前面側に配置したことを特徴とする現金取扱装置。
【請求項２】
投入口に投入される現金を保管庫に収納する現金取扱装置において、現金を投入する現金受付部と、該現金受付部に投入された現金の鑑別の結果、異常と判別された現金を返却するリジェクト収納部と、鑑別の結果、正常と判別された現金を一時保留して蓄積する一時保留部と、該一時保留部に集積された現金を収納する保管部と、を有し、かつ
該保管部は上側に設けられた開口部と、該開口部を覆う開閉可能なシャッタとを備え、該一時保留部に集積された現金を該保管部に収納する時に該シャッタを開いて収納することを特徴とする現金取扱装置。
【請求項３】
投入口に投入される紙幣を保管庫に収納する現金取扱装置において、紙幣を投入する現金受付部と、該現金受付部に投入された紙幣の鑑別の結果、異常と判別された紙幣を返却するリジェクト収納部と、鑑別の結果、正常と判別された紙幣を一時保留して蓄積する一時保留部と、これら各部を連結し、紙幣を搬送する搬送路と、該一時保留部に集積された紙幣を収納する保管部と、を有し、
該搬送路を境にして該上ユニットと該下ユニットに分割し、該現金受付部を上ユニットに実装すると共に、該該リジェクト収納部及び該一時保留部を下ユニットに実装し、かつ該上ユニットを該下ユニットに対して回動するように構成したことを特徴とする紙幣取扱装置。
【請求項４】
該保管部は、装置の前面側に開閉可能で旋錠可能な扉を有し、該扉を開いて、上側に設けられた開口を覆う開閉可能なフタを備えた、現金を収納するための現金カセットを装填することを特徴とする請求項１ないし３のいずれかの現金取扱装置。
【請求項５】
該保管部は旋錠が可能であり、かつ上側に設けられた開口を覆う開閉可能なフタを備えた現金を収納する現金カセットを装填し、該シャッタを開いて該一時保留部に集積された現金を該開口を通して該現金カセットに収納することを特徴とする請求項１ないし４のいずれかの現金取扱装置。
【請求項６】
入金する利用者による金額の承認前の状態で、該一時保留部と該一時保留部に繋がる搬送路上に在る鑑別の後の現金が利用者の所有物であれば、該一時保留部に設けられた前扉を自動で開くことにより、該一時保留部又は該搬送路上の現金を取出し、また利用者による金額の承認後の時には、該一時保留部の前扉を閉じた状態にしておくことを特徴とする請求項１ないし５のいずれかの現金取扱装置。
【発明の詳細な説明】
【技術分野】
【０００１】
本発明は現金取扱装置に係り、例えば小売店等などの店舗内に設置され、その店舗の売上げ金である紙幣を入金する機構を持つ現金取扱装置に関する。
【背景技術】
【０００２】
小売店等などの店舗内に設置されるこの種の現金取扱装置は、通常、紙幣受付部に投入される紙幣を１枚ずつ繰出し、鑑別部での判別結果により一時保留部及びリジェクト収納部へ搬送した後、一時保留した紙幣を紙幣保管庫へ収納及び利用者へ返却する機構を有している。例えば、特開２００１−６７５２６公報（特許文献１）には、店舗の売上げを入金する売上金入金機に関し、指定された金額のみを入金処理する構成が開示されている。
【０００３】
【特許文献１】特開２００１−６７５２６公報
【発明の開示】
【発明が解決しようとする課題】
【０００４】
上記公知例に記載された技術は、指定された金額のみを入金処理する構成であるが、装置を構成する部位に関しては、入金する紙幣を投入する紙幣投入部を上部後方に配し、紙幣リジェクト部と一時収納部を前面に配置している。
【０００５】
入金する紙幣を収納する紙幣収納機構において、入金する紙幣を投入する紙幣投入部を上部後方に配置し紙幣リジェクト部と一時保留部を前面に配置した紙幣収納機構の場合、その紙幣収納機構を搭載する入金機は上面から入金操作を行うため、小売店などの店舗は設置する際に入金機の上部に操作する空間が確保される場所を確保する必要がある。その結果、入金機の設置は店舗内カウンタの下や入金機の上にレジを置きレジ台と併用する等の空き空間を有効に活用することができず、店舗内に入金機を設置するための専用エリアが必要となる。そのため、専用エリアが確保できない小規模店舗には入金機が設置できず専用エリアが確保できる大規模店舗のみ入金機が設置されることになる。
【０００６】
また、紙幣保管庫を閉塞状態に被覆部材で覆いその開口部に設けた搬送部を介して一時保留部から紙幣収納庫へ紙幣を収納するには、一時保留部に集積した紙幣を1枚ずつ繰出し開口部に設けた搬送部を介して搬送された紙幣を1枚ずつ紙幣保管庫に収納することとなり紙幣収納処理に時間を要する。
【０００７】
本発明の目的は、装置の設置効率がよい現金取扱装置を提供することにある。
本発明の他の目的は、防犯性を保ち、現金の管理を厳密に行うことができる現金取扱装置を提供することにある。
本発明の他の目的は、利用者の金額承認の状況に応じてシャッタの開閉を行い防犯性のよい現金取扱装置を提供することにある。
【課題を解決するための手段】
【０００８】
本発明は、投入口に投入される現金を保管部に収納する現金取扱装置において、現金を投入する現金受付部と、現金受付部に投入された現金の鑑別の結果、異常と判別された現金を返却するリジェクト収納部と、鑑別の結果、正常と判別された現金を一時保留して蓄積する一時保留部と、一時保留部に集積された現金を収納する保管部とを、装置の前面側に配置するように構成したものである。
また、本発明は、投入口に投入される現金を保管庫に収納する現金取扱装置において、現金を投入する現金受付部と、現金受付部に投入された現金の鑑別の結果、異常と判別された現金を返却するリジェクト収納部と、鑑別の結果、正常と判別された現金を一時保留して蓄積する一時保留部と、一時保留部に集積された現金を収納する保管部と、を有し、かつ、保管部は上側に設けられた開口部と、開口部を覆う開閉可能なシャッタとを備え、一時保留部に集積された現金を保管部に収納する時にシャッタを開いて収納するように構成したものである。
また、本発明は、投入口に投入される紙幣を保管庫に収納する現金取扱装置において、紙幣を投入する現金受付部と、現金受付部に投入された紙幣の鑑別の結果、異常と判別された紙幣を返却するリジェクト収納部と、鑑別の結果、正常と判別された紙幣を一時保留して蓄積する一時保留部と、これら各部を連結し、紙幣を搬送する搬送路と、一時保留部に集積された紙幣を収納する保管部と、を有し、搬送路を境にして上ユニットと下ユニットに分割し、現金受付部を上ユニットに実装すると共に、リジェクト収納部及び一時保留部を下ユニットに実装し、かつ上ユニットを下ユニットに対して回動するように構成したものである。
また、好ましい例では、保管部は、装置の前面側に開閉可能で旋錠可能な扉を有し、扉を開いて、上側に設けられた開口を覆う開閉可能なフタを備えた、現金を収納するための現金カセットを装填するように構成する。
また、好ましくは、保管部は旋錠が可能であり、かつ上側に設けられた開口を覆う開閉可能なフタを備えた現金を収納する現金カセットを装填し、シャッタを開いて一時保留部に集積された現金を開口を通して現金カセットに収納するように構成する。
また、好ましくは、入金する利用者による金額の承認前の状態で、一時保留部と一時保留部に繋がる搬送路上に在る鑑別の後の現金が利用者の所有物であれば、一時保留部に設けられた前扉を自動で開くことにより、一時保留部又は搬送路上の現金を取出し、また利用者による金額の承認後の時には、一時保留部の前扉を閉じた状態にしておくように構成する。
【発明の効果】
【０００９】
本発明によれば、紙幣受付部、リジェクト収納部、一時保留部を装置の前面に配置することにより上面の空間を不要とし、装置の設置効率がよい現金取扱装置を得られる。また、防犯性を保ち、現金の管理を厳密に行うことができる。また、利用者による金額の承認状況に応じてシャッタの開閉を行い現金カセットへ現金を安全に収納することができる。
【発明を実施するための最良の形態】
【００１０】
以下、本発明の一実施形態について図面を用いて説明する。
まず、図２を参照して、一実施例における紙幣収納機構を有する入金機１の構成について概略説明する。
入金機１は、小売店や飲食店などの店舗内に設置され、売上金など紙幣及び硬貨を入金し、及びそれらを収納することを可能とする。入金機１は主に、紙幣及び硬貨の計数処理を行う現金処理機構部２（この部分を搬送ユニット１１ということがある）と、計数が終了した紙幣及び硬貨を収納する保管部３で構成される。保管部３は例えば金庫であり、旋錠可能な扉を開閉してその中に紙幣カセット６１、硬貨カセット６１´を収容する構成であり、現金を収納したカセット６１，６１´の防犯を確保している。
【００１１】
入金機１の現金処理機構部２内に備えられる各ユニットの配置に関して言えば、入金機１の装置の前面に、入金する紙幣及び硬貨を投入する紙幣投入口２２及び硬貨投入口４と、計数処理によりリジェクトした紙幣を返却するリジェクト取出口３２と、一時保留した紙幣を返却する返却口４２と、硬貨を投入する硬貨投入口４と、硬貨を返却する硬貨返却口５が配置されている。また、入金機１の前側には、利用者が処理を選択する図示しない操作部２０８及び入金処理のための案内や処理結果を表示する表示部２０９が設けられる。また、入金機１は制御部７を備え、利用者が操作部２０８から操作した指示入力と、紙幣投入口２２と硬貨投入口４から投入された紙幣及び硬貨の金額との関係を計算して処理する。
【００１２】
本実施例では、保管部３に金庫と同様の防犯性を持たせている。即ち、紙幣や硬貨を収納した紙幣カセット６１や硬貨カセット６１´を、構造的に強固で扉を備えた金庫状の保管部３内に収容する構成としている。これは本実施例にかかる、入金機の運用形態による。以下に、その理由を説明する。
【００１３】
通常のＡＴＭを操作する人には、入出金を行う利用者、金庫内に紙幣を詰め込み又は取出す係員、及び保守を行う保守員のようにそれぞれＡＴＭを取扱う権限が分かれている。利用者は入出金口に入金紙幣を投入し、又は出金される紙幣を受取るだけであり、ＡＴＭ内に発生したジャム状態の紙幣を取扱うことができない。これに対して、係員はＡＴＭ内にある紙幣全体を取扱うことができる。例えば紙幣のジャムが発生したＡＴＭでは、ジャムとなった紙幣は取引の進行状態（金額の承認有無等）に応じて、係員が利用者の所有物か装置の所有物かの判別を行う。このように、利用者はＡＴＭの外部からしか操作ができないので、ジャム等の障害が発生した場合でもＡＴＭ内の紙幣には触ることができず、ＡＴＭ内部の紙幣の取扱いは管理責任のある係員だけに限られ、このようにして紙幣のセキュリティが保たれている。
【００１４】
しかし、入金機（装置）の場合には、装置の設置条件例えばコンビニの店舗内に設置される等の条件から金融機関の係員は装置の近くには居ない。このため、入金金額の承認が終わる前にジャム等の障害が発生した場合には、利用者がジェムで止まった装置内部の紙幣を取扱うため、装置内部において利用者の所有物と装置の所有物を構造的にしっかりと区別できる必要がある。
【００１５】
そこで、利用者の承認が完了した紙幣が収納されている紙幣カセット６１を厳重に保護するため、紙幣カセット６１を金庫である保管部３内に収納して旋錠する。この結果、利用者は金額の承認前の紙幣については、ジャム等で装置内部に止まった紙幣は紙幣ユニット６１を保管部３から引き出して簡単に取出すことができる。しかし、承認が完了して紙幣カセット６１に収納した紙幣に触ることはできない。承認が完了した紙幣を触ることができるのは、紙幣カセットを取出すための鍵を持った金融機関の係員だけとなり、装置の所有物である紙幣カセット６１内の紙幣の防犯性が保たれる。
【００１６】
次に、図１を参照して入金機１の構成について説明する。
図１において、入金機１の上側の現金処理機構部２（搬送ユニット１１）の前面には、入金する紙幣を挿入する紙幣投入口２２と、リジェクトされた紙幣を取り出すリジェクト取出口３２、及び返却する紙幣を出す紙幣返却口４２が配置される。紙幣投入口２２、リジェクト取出口３２及び返却口４２の奥には、上面・下面・左面・右面・奥面を図示しない規制板により紙幣サイズに合わせた寸法で形成する紙幣受付部２１、リジェクト収納部３１及び一時保留部４１が配置される。
【００１７】
また、リジェクト取出口３２と返却口４２はそれぞれ扉３３と返却扉４３を有し、扉３３は手動で開閉を行い、返却扉４３は電磁ロック（図示省略）はロックされる構造になっており、許容された時のみ所定のタイミングで開くことができる。
【００１８】
紙幣受付部２１は、利用者が紙幣を紙幣投入口２２から投入し、紙幣受付部２１の下面を形成する紙幣セット板２３に載せることで受付可能となる。紙幣投入口２２は扉を持たないため、利用者は紙幣を直接セットでき、紙幣受付部２１への紙幣セットの操作が容易にできる。リジェクト取出口３２に配置した扉３３は、リジェクト取出口３２の大きさに対し上端を低くすることで、利用者はリジェクト収納部３１の内部を視認でき計数した紙幣の中にリジェクトされた紙幣があることを容易に確認できる。また、扉３３は上端を低くする他に透明プラスチック等の材料にすることで視認性を図ることが可能である。返却口４２に配置した返却扉４３によって返却口４２を開閉可能に覆い、返却扉４３を自動的に開くことで利用者は一時保留部４１に集積した紙幣の取り出が可能となる。
【００１９】
また、保管部３に収容される紙幣カセット６１及び硬貨カセット６１´（図１では裏側に隠れていて見えない）は、装置の前面側から装填部６４に挿入され、ロック機構６３によってロックされ、ロック状態の解除によりカセット６１の取外しができる着脱可能な構造である。尚、紙幣カセット６１（硬貨カセット６１´も同様である）の構成は、図６を参照して後述する。
【００２０】
この様に、本実施例による紙幣収納機構は、利用者が操作する紙幣投入口２２、リジェクト取出口３２、返却扉４３を全て前面に配置しているため、紙幣収納機構１０を搭載する入金機１も図２に示すように、上面に操作用空間が不要となる。このため、店舗内のカウンタ下やレジを上面に載せることができ、レジ台の併用ともなり、店舗内での設置効率が良くなる。
【００２１】
次に、図３を参照して紙幣受付部２１の構成例について説明する。
紙幣受付部２１は、紙幣セット板２３にセットされた紙幣に自重もしくはばね力により適度な圧力を掛ける押さえ板２７とセットされた紙幣の下側から紙幣を１枚ずつ繰出す繰出しローラ２４と紙幣を繰出しローラ２４へ送り込む送りローラ２５を有し、繰出しローラ２４に対向した側には繰出しローラ２４が紙幣を１枚ずつ繰出す際に２枚目を静止する役割を果たすゲートローラ２６を配している。
【００２２】
また、押さえ板２７は通常紙幣セット板２３上に降りた状態２７ａから利用者が紙幣をセットする際に利用者の手動操作で２７ｂの位置に持ち上げ、利用者が紙幣を紙幣セット板２３の上に紙幣を載せた後に押さえ板２７を紙幣の上２７ｃの位置に下し紙幣に適切な圧力を与える。
【００２３】
図４はリジェクト収納部３１の構成例を示す。
リジェクト収納部３１は、リジェクト収納部３１入口に下リジェクト送込みローラ３５と上リジェクト送込みローラ３６を配し、紙幣をリジェクト収納部３１内に送込む。上下送込みローラによりリジェクト収納部３１に送込まれた紙幣Ｒ１の先端が扉３３に取付けたリジェクト収納ストッパ３７に衝突すると、紙幣後端を弾性体のシートを放射状に配したリジェクト収納ローラ３４により下方へ押し下げ紙幣をリジェクト収納台３８の上へ集積する。また、複数枚の紙幣を収納する際にはリジェクト収納台３８の上に集積した集積済み紙幣Ｒの上に順次集積していく。
【００２４】
図５は一時保留部４１の構成例を示す。
一時保留部４１は、その入口に下送込みローラ４８と上送込みローラ３６を配し、紙幣を一時保留部４１内に送込む。上下送込みローラにより一時保留部４１に送込まれた紙幣Ｓ１の先端がストッパ４４に衝突すると、紙幣後端を弾性体のシートを放射状に配した保留収納ローラ４６で下方へ押し下げ紙幣を保留トレイ４５の上へ集積する。
【００２５】
また、複数枚の紙幣を収納する際には保留トレイ４５の上に集積した集積済み紙幣Ｓの上に順次集積していく。集積が完了した後、集積済み紙幣Ｓを収納する場合には、収納動作の間一時保留部４１の上部に退避位置４７ａに退避していた収納レバー４７を集積済み紙幣Ｓの上に降下し、自重もしくはばね力により集積済み紙幣Ｓを上から押さえつけた状態のまま保留トレイ４５が紙幣を集積する位置４５ａから図示しない保留トレイの駆動モータにより退避位置４５ｂの位置に移動し、集積済み紙幣Ｓを収納レバー４７の押さえ力により下方の４７ｃの位置まで下降し紙幣を紙幣カセット６１の内部まで落下させる。この紙幣落の下動作において収納レバー４７を紙幣の落下に対して追従させることで紙幣の落下の際、収納レバー４７の力が常時紙幣に掛かるため紙幣の引っ掛かりや斜めに落下すること等の原因で発生する落下不良を防止し、安定した紙幣落下性能が確保できる。
【００２６】
また、紙幣の計数が完了した後、利用者が返却を選択すると、返却扉４４の図示しないロック機構を解除し、ばね力等により返却扉４１を自動で開けると共にストッパ４４も返却扉４４と連動して倒すことで、一時保留部４１内の集積済み紙幣Ｓを利用者が取出し可能な状態にし集積済み紙幣Ｓの返却を行う。
【００２７】
図１に示すように、搬送ユニット１１内には紙幣受取部２１、リジェクト収納部３１と一時保留部４１が実装され、これらの部位は、紙幣を搬送する紙幣搬送路５０により連絡している。紙幣搬送路５０は、受取部２１が繰出した紙幣を搬送する繰出搬送路５１と、繰出搬送路５１に接続し前後方向へ送り方向を折り返す判別搬送路５２と、リジェクト収納部３１と識別搬送路５２に接続されたリジェクト搬送部５３、及び一時保留部４１と判別搬送路５２に接続された保留搬送路５４を備えて構成する。識別搬送路５２には紙幣の真偽、金種の判別や重送等の搬送異常を判定する紙幣鑑別部９０が配置される。判別搬送路５２、リジェクト搬送路５３、保留搬送路５４の３つの搬送路が合流する場所には、判別搬送路５２で搬送してきた紙幣をリジェクト搬送路５３、保留搬送路５４のいずれかに振分ける切替ゲート５５が配置される。
【００２８】
図６は紙幣カセット６１の例を示す。
紙幣カセット６１は上面に上フタ６５を有し、上フタ６５は紙幣カセット６１を取り外した状態では、カセット内のロック（図示せず）により開かない。しかし、紙幣カセット６１を保管部３の装填部６４にセットすると、このロックが解除されて手動で開く構造となっている。紙幣カセット６１を装填部６４にセットして上フタ６５を開けることで、上面から収納部６６に紙幣を収納することが可能となる。収納部６６内には上下方向に可動する底板６２が設置されており、この底板６２の上に紙幣を縦に積み上げて収納する。
【００２９】
また、紙幣カセット６１の上フタ６５を閉め、装填部６４から取り外した状態では上下面・左右面・前後面が閉じた密閉状態となり、金庫としての防犯性を確保でき、取っ手６７を握って持ち運びができる。紙幣カセット６１は取り外し状態の時に前面扉６８を開けることで、保管部６６が大きく開き、収納部６６に収納した紙幣の取出しが可能となり、紙幣の回収作業が容易迅速に行える。
【００３０】
図１及び図５に示すように、搬送ユニット１１と紙幣カセット６１の間、好ましくは保管部３の上面部にはシャッタ７１が配置されている。シャッタ７１は、モータ等の駆動手段（図示せず）によって駆動され、前後方向（図１の左右方向）にスライドして開閉動作を行う。即ち、図５のシャッタ７１aと７１bの位置を移動して保管部３の開閉動作を行なう。シャッタ７１が開状態（シャッタ７１bの位置）にある時、搬送ユニット１１の一時収納部４１に一時保持された紙幣Ｓを紙幣カセット６１内へ落とし込んで紙幣カセット６１内に収納することができる。逆に、シャッタ７１が閉状態（７１aの位置）にある時には、紙幣カセット６１はシャッタ７１で閉鎖されるので、防犯性及びセキュリティ性を確保することができる。
このように、紙幣カセット６１が保管部３に装填された後、上部の現金処理機構部２と連動してシャッタ７１の開閉制御が行なわれ、現金処理機構部２から紙幣カセット６１へ紙幣が移動する。
【００３１】
次に、本実施例における紙幣収納機構の動作について説明する。
本実施例の紙幣収納機構は、利用者により紙幣受付部２１にセットされた紙幣を計数して、利用者に返却する計数処理機能と計数した結果利用者の承認の元に紙幣カセット６１に収納する入金収納処理を有する。
【００３２】
図７を参照して、計数処理の動作フローについて説明する。
まず、利用者が紙幣を紙幣投入口２２から投入して、紙幣受付部２１の上に載せると（Ｓ１０１）、図示しないセンサ等の検出機能により紙幣有りを検出し、本体制御部７へ受付可能な状態を報告する。利用者が操作部の計数処理キーを押下して（Ｓ１０２）、これにより本体制御部７から計数処理の指示を受けると、繰出しローラ２４と送りローラ２５が駆動する。そして繰出しローラ２４とゲートローラ２６により紙幣を１枚ずつ繰出し、繰出し搬送路５１により紙幣鑑別部９０まで搬送し識別を行う（Ｓ１０３）。紙幣鑑別部９０では紙幣の金種及び真偽等の紙幣状態の判別、及び傾きや重送等の搬送状態の判別を行なう。
【００３３】
紙幣鑑別部９０で判別した紙幣は判別搬送路５２に搬送され、正常と判別した紙幣は切替ゲート５５を切替えて保留搬送路５４へ送込み、保留搬送路５４で一時保留部４１に送込み、一時保留部４１に集積する。また、紙幣鑑別部９０で異常と判別した紙幣は、切替ゲート５５を切替えてリジェクト搬送路５３へ搬送し、リジェクト搬送路５１でリジェクト収納部３１へ送込みリジェクト収納部３１へ集積する（Ｓ１０４）。
【００３４】
紙幣受付部２１にセットされた紙幣の計数動作が全て終了すると（Ｓ１０５）、計数結果を本体制御部７へ報告する。計数結果からリジェクトした紙幣の有無を確認し（Ｓ１０６）、リジェクトした紙幣がある場合には正常に計数できた結果とリジェクト収納部３１に紙幣があることを表示部に表示する（Ｓ１０７）。リジェクトした紙幣がない場合には正常に計数できた結果のみ表示部に表示する（Ｓ１０８）。そして、本体制御部７の指示により返却扉４２を開け、一時保留部４１に集積した紙幣を利用者が取出し可能な状態にする（Ｓ１０９）。また、利用者が、返却口４２から一時保留部４１に集積した紙幣を取出し返却扉４２を手動で閉じ、リジェクトした紙幣がある場合は、利用者が手動で扉３３を開けてリジェクト収納部３１に集積した紙幣を取出す（Ｓ１１０）。
【００３５】
次に、図８を参照して入金収納処理の動作フローについて説明する。
まず、利用者が入金する紙幣を紙幣投入口２２から紙幣を投入し紙幣受付部２１の上に載せると（Ｓ１２１）、図示しないセンサ等の検出機能により紙幣有りを検出し、本体制御部７へ受付可能な状態を報告する。利用者が操作部２０８の入金収納キーを押下すると（Ｓ１２２）、本体制御部７からの計数処理指示のより計数動作を行う（Ｓ１２３〜Ｓ１２５）。計数動作は計数処理の場合と同様に行う（図７のＳ１０３〜Ｓ１０５）。
【００３６】
計数処理の結果からリジェクトした紙幣の有無を確認し（Ｓ１２６）、リジェクトした紙幣がある場合は正常に計数できた結果とリジェクト紙幣収納部３１に紙幣があることを表示部２０９に表示し（Ｓ１３１）、利用者はリジェクト紙幣を取出す（Ｓ１２８）。ここで、利用者はリジェクトされた紙幣の再投入かこのまま入金収納処理を継続するかの選択を行う（Ｓ１３０）。再投入を行う場合（Ｓ１３０a）には最初に行った紙幣投入（Ｓ１２１）から操作を行う。また、リジェクトした紙幣がない場合は正常に計数できた結果のみを表示部２０９に表示する（Ｓ１２８）。
【００３７】
利用者は、表示部２０９の計数結果を確認し計数した紙幣の入金を行うか取消をするかの選択を行う（Ｓ１３１）。計数した紙幣の入金を選択する場合（Ｓ１３１a）、利用者は操作部２０８の承認キーを押下する（Ｓ１３２）。本体制御部７の指示により紙幣収納機構１０は、シャッタ４５を７１ａの位置から７１ｂの位置に移動し収納レバー４７を一時保留部４１に集積した紙幣の上に降下した後、保留トレイ４５を４５ａ位置から４５ｂ位置に移動し紙幣を紙幣カセット６１内に収納する（Ｓ１３４）。紙幣カセット６１への収納動作が終了すると収納レバー４７を退避した後シャッタ７１を７１ｂの位置から７１ａの位置まで移動して処理を終了する（Ｓ１３４）。また、計数した紙幣の返却を選択する場合（Ｓ１３１b）利用者は操作部の取消キーを押下する（Ｓ１４０）。本体制御部７の指示により返却扉４３を自動で開き、利用者が一時保留部４１に集積した紙幣を取出し可能な状態にする（Ｓ１４１）。そして利用者が紙幣を取出し、返却扉４３を手動で閉じると処理を終了する（Ｓ１４２）。
【００３８】
この様に、本実施例に係る紙幣収納機構は操作性に配慮されており、入金機に搭載することで、入金機のための専用エリアが確保できない小規模店舗においても設置が可能となる。
【００３９】
また、本実施例の紙幣収納機構は信頼性やセキュリティ性にも配慮されている。それについて以下に説明する。
一時保留部４１は集積した紙幣の高さが集積動作に障害を及ぼす高さまで集積されたことを検出する検出手段を有している。一時保留部４１に紙幣を集積する動作中に集積している紙幣の高さを監視し、紙幣の集積動作の途中にこの紙幣高さを検出した場合、紙幣集積動作を停止し紙幣集積動作の障害が発生することを未然に防止する。この様に集積障害が発生する恐れのある状態になる前に処理を中断することで、入金収納処理のように一時保留部４１に集積した紙幣が装置側の管理で集積異常による障害が発生した場合、その復旧には係員などが係わることになり利用者は係員が装置に到着するまで待つこととなり不愉快な気分になることを防止することができる。
【００４０】
次に、紙幣集積機構に紙幣のジャム等の障害が発生した場合等において、操作性及びセキュリティを配慮した構成例について説明する。
図９に示す様に、本紙幣収納機構１０は、レール等の引き出し部材９０を設けることによって、搬送ユニット１１を入金機１の前面から引き出すことができ、その状態で紙幣のジャム等の障害を除去できる。
【００４１】
更に他の例として、図１０に示す様に、搬送ユニット１１を、搬送路５２を境にして分割して開閉可能な上ユニット１２と下ユニット１３により構成する。上ユニット１２には紙幣受付部２１が実装され、下ユニット１３にはリジェクト収納部３１及び一時収納部４１が実装される。搬送路５２に紙幣のジャムが発生した場合、上ユニット１２を回動して引き上げると、判別搬送路５２、リジェクト搬送路５３及びリジェクト収納部３１が開いた状態となる。上ユニット１２を開けるだけで主な搬送路が開いた状態となり、ジャムを取り除く操作が容易に行える。
【００４２】
上ユニット１２を開けた状態で一時保留部４１は利用者が取り出せないように一時保留部４１の上部を塞いで、現金の厳密な管理を確保している。このため、入金収納処理で利用者の承認を受けた後のように集積された紙幣が装置側管理の紙幣の場合、利用者が装置側管理の紙幣を扱うことができないため装置側の枚数や金額といった紙幣管理が厳密に行えるようになる。また、計数処理のように利用者の承認を伴わず一時保留部４１に集積した紙幣が利用者の持ち物である場合、障害が発生したとき返却扉４３をロック解除により自動で開くことにより全ての紙幣を取り除くことができる。
【００４３】
上記した他の例による紙幣収納機構１０は、障害が発生した場合それぞれの紙幣の管理元が何処にあるかによって一時保留部４１の紙幣を取り出しできるようにするか取り出しできないようにするかを切り分けることができる。これにより利用者の操作性を損なうことなく装置側の紙幣管理を厳密に行える。
【００４４】
以上の説明した本実施例によれば、前面に紙幣受付部、リジェクト収納部、一時保留部を全て配置したことにより、紙幣入金機構を搭載する入金機などの装置は上面に操作部を設ける必要がなく上面に空間が不要となるため、カウンタ下や入金機などの上にレジを置くなど現状の空き空間を利用することが可能となり大規模店舗の様に入金機専用エリアを確保できない小規模店舗においても入金機を設置することができる。
【００４５】
また、紙幣受付部、リジェクト収納部、一時保留部の操作部等を装置の前面に配置したので、利用者は前面にのみに注意を払えばよく操作性が向上し容易になる。
【００４６】
また、紙幣を収納する紙幣カセット６１を保管部３内に装填し、かつ紙幣をカセットに収納する時以外はシャッタ７１を閉じた状態にすることで、現金管理の防犯性が確保される。紙幣の収納動作時以外の待機状態では、金庫としての保管部３の機能とシャッタ７１の閉状態によって常に紙幣を厳重に保管することができ、保管部３の施錠権限を持つ上位管理者や警備保障会社以外の利用者（例えば店員）が保管部３及び紙幣カセット６１内の紙幣を取出すことが不可能となる。これにより現金の防犯性を確保できる。しかもシャッタを開いた状態で一時保留部に集積した紙幣を一括で紙幣保管庫に送るため紙幣の収納処理を迅速に行える。
【００４７】
更に、紙幣を計数処理している時に紙幣詰まり等で停滞した紙幣を除去する場合、利用者の承認前には利用者の持ち物である紙幣受付部、リジェクト収納部及び紙幣受付部とリジェクト収納部を繋ぐ搬送路にある紙幣を利用者が容易に除去できる。また、判別が終了して一時保留部及び一時保留部に繋がる搬送路にある紙幣について利用者の承認前の状態で一時保留部と一時保留部に繋がる搬送路の紙幣が利用者の持ち物であれば、一時保留部の前扉のロックを外し自動で前扉を開くことにより一時保留部と一時保留部に繋がる搬送路の紙幣を容易に取出すことができる。また、利用者の承認を得た後であれば、一時保留部の前扉のロックを解除せず閉じた状態のままにすることで、利用者が一時保留部と一時保留部に繋がる搬送路の紙幣を取り出すことができなくなり、紙幣収納機構内の紙幣を厳密に管理することができる。
尚、上記実施例では紙幣収納機構について説明したが、本発明は紙幣収納機構に限らず、硬貨の収納機構にも同様にして適用できるであろう。
【図面の簡単な説明】
【００４８】
【図１】一実施例における紙幣収納機構を持つ入金機１の構成を示す側面図、
【図２】一実施例における入金機１の概略を示す概略図、
【図３】一実施例における紙幣収納機構の紙幣受付部２１の側面図、
【図４】一実施例における紙幣収納機構のリジェクト収納部３１の側面図、
【図５】一実施例における紙幣収納機構の一時保留部４１の側面図、
【図６】一実施例における紙幣収納機構の紙幣カセット６１の概略図、
【図７】一実施例における紙幣収納機構の計数処理動作を示す動作フロー、
【図８】一実施例における紙幣収納機構の入金収納処理動作を示す動作フロー、
【図９】他の実施例による搬送ユニットの引き出し構造を有する紙幣収納機構の例を示す側面図、
【図１０】他の実施例による搬送ユニットの開閉機構を有する紙幣収納機構の例を示す側面図。
【符号の説明】
【００４９】
２：現金処理機構部        ３：保管部      ４：硬貨投入口
５：硬貨返却口            １１：搬送ユニット      ２１：紙幣受付部
２２：紙幣投入口        ２３：紙幣セット板    ３１：リジェクト収納部
３２：リジェクト取出口    ３３：扉              ４１：一時収納部
４２：紙幣返却口            ４３：返却扉          ５０：紙幣搬送路
５１：繰出し搬送路      ５２：判別搬送路      ５３：リジェクト搬送路
５４：保留搬送路        ５５：切替ゲート      ６１：紙幣カセット
６２：底板              ６３：ロック機構      ６４：装填部
７１：シャッタ。
【図１】
2006350415.tif 000003
【図２】
2006350415.tif 000004
【図３】
2006350415.tif 000005
【図４】
2006350415.tif 000006
【図５】
2006350415.tif 000007
【図６】
2006350415.tif 000008
【図７】
2006350415.tif 000009
【図８】
2006350415.tif 000010
【図９】
2006350415.tif 000011
【図１０】
2006350415.tif 000012